(57)【要約】      （修正有）【課題】トラックアジテータのドラム内壁、羽根等に付着している付着モルタルを新たに積み込むコンクリートと混合して使用するための付着モルタルリサイクルシステムを提供する。【解決手段】トラックアジテータ１の排出シュートの高さに合わせてバイブロスクリーン２を設け、底部に計量用の水中ポンプ８又はサンドポンプを設けた希釈溶液回収容器３と、バイブロスクリーン２の下流側に設けた計量用スクリュー１４付の付着モルタル回収容器５をつなぐシュート４を設置し、希釈溶液回収容器３底部の水中ポンプ８又はサンドポンプを３階にある既設の水計量槽７につながる希釈溶液投入管９と接続し、水計量槽７を、ミキサー１１につながる計量水投入管１０と接続し、付着モルタル回収容器５の下流側に、ミキサー１１につなげる導入管を接続する。【選択図】図１
0003206489.tif 000002
【実用新案登録請求の範囲】
【請求項１】
トラックアジテータのドラム内壁、羽根等に付着しているフレッシュモルタルに付着モルタル安定剤を用いてスラリー状にし、新たに積み込むコンクリートと混合して使用する方法において、帰着したトラックアジテータはプラント横に併設されたリフトで２階高さまでリフトアップ、又は２階高さまでのスロープを上がりきった場所にトラックアジテータの排出シュートの高さに合わせてバイブロスクリーンを設け、底部に計量用の水中ポンプ又はサンドポンプなどを設けた希釈溶液回収容器と、前記バイブロスクリーンの下流側に設けた計量用スクリュー付の付着モルタル回収容器をつなぐシュートを設置し、前記希釈溶液回収容器底部の前記水中ポンプ又はサンドポンプなどから３階にある既設の水計量槽につながる希釈溶液投入管と接続し前記水計量槽からミキサーに接続された計量水投入管及び前記付着モルタル回収容器の下流側にミキサーにつなげる導入管を接続してなる付着モルタルリサイクルシステム。
【考案の詳細な説明】
【技術分野】
【０００１】  本考案は、レディーミクストコンクリートを運搬するトラックアジテータのドラム内壁、羽根等に付着したモルタルの使用に関する。
【背景技術】
【０００２】  レディーミクストコンクリート、所謂生コンクリートの運搬には主に傾同型のドラムを搭載したトラックアジテータが使用されている。内部の生コンクリートは静止状態に置かれると固まるためドラムを常時回転させ、荷卸しを完了し全量を排出した後はドラム内に水を入れて内部に付着したフレッシュモルタルを洗浄し、洗浄排水を全て外部に排出している。
このほか、［特許文献１］及び［特許文献２］並びに［特許文献３］がある。
【先行技術文献】
【特許文献】
【０００３】
【特許文献１】特開２００５−３３５３８６号公報
【特許文献２】特開２００８−０６８６０８号公報
【特許文献３】特開２０１５−１０２２５０号公報
【考案の概要】
【考案が解決しようとする課題】
【０００４】  トラックアジテータは現場で荷卸しを完了した後、ドラム内壁、羽根等に付着したフレッシュモルタルの固着を防ぐためドラム内を水洗いする。これにより廃棄されるスラッジは年間１００万ｍ３〜１５０万ｍ３以上にも及ぶ・スラッジは、『管理型産業廃棄物』として処分することを義務付けられているが、最終処分場の数は限られており、また廃棄費用も高額なことから不法投棄の温床となっている。最終処分場の残余年数が残り少ない中で廃棄し続けることは、都市部の廃棄物を地方にツケ回す構図が容易に想像され問題である。本考案の課題は、付着したフレッシュモルタルに水を加えて廃棄するのではなくＪＩＳＡ５３０８附属書Ｄ（以下、附属書Ｄという。）を実用化した方法で付着したフレッシュモルタルを使用し、できるだけスラッジ化（産業廃棄物化）させないことである。【０００５】  同一考案人による［特許文献１］［特許文献２］があるが、それらにおける欠点は、スラリー状モルタルに含まれる安定剤希釈溶液を新たに積み込むコンクリートの練り混ぜ量の一部とするためその量を計量水量から差し引くこととなっている。このためオペレーターは希釈溶液と同量の計量水量を手動操作により水計量槽に残す作業を行わなければならない。ＪＩＳＡ５３０８では単位水量の動荷重範囲はプラスマイナス１％以内で管理することが求められており、このような操作は正確性を欠く作業なため合理的な作業方法を示すことを課題とした。また、［特許文献３］ではスラリー状モルタルをスクイズポンプ又はサンドポンプで圧送管を通じて上方に上げた後、バイブロスクリーンで希釈溶液と付着モルタルに分級する方法となっているが、圧送管閉塞のリスクがあるためさらに合理的な方法ではなかった。
【課題を解決するための手段】
【０００６】  トラックアジテータのドラム内壁、羽根等に付着しているフレッシュモルタルに付着モルタル安定剤を用いてスラリー状にし、新たに積み込むコンクリートと混合して使用する方法において、帰着したトラックアジテータはプラント横に併設されたリフトで２階高さまでリフトアップ、又は２階高さまでのスロープを上がりきった場所にトラックアジテータの排出シュートの高さに合わせてバイブロスクリーンを設け底部に計量用の水中ポンプ又はサンドポンプを設けた希釈溶液回収容器と前記バイブロスクリーンの下流側に設けた計量用スクリュー付の付着モルタル回収容器をつなぐシュートを設置し、前記希釈溶液回収容器底部の前記水中ポンプ又はサンドポンプの２次側から３階にある既設の水計量槽につながる希釈溶液投入管と接続し前記水計量槽からミキサーに接続された計量水投入管及び前記付着モルタル回収容器の下流側にミキサーにつなげる導入管を接続してなる付着モルタルリサイクルシステム。
【考案の効果】
【０００７】  附属書Ｄでは、付着モルタルの容積は新たに積み込むコンクリートの容積の一部として考慮してはならないが希釈溶液は練り混ぜ量の一部とすることになっている。このため本考案では、専用の容器に受け入れたスラリー状モルタルを分級後、付着モルタルは直接ミキサーへ投入するが希釈溶液は既設の水計量槽へ計量水が計量完了するまでに投入し、新たに積み込むコンクリートの練り混ぜ量の一部とするのでオペレーターは希釈溶液と同量の水量を手動操作により水計量槽に残す等の困難な作業が無くなり新たなコンクリートを製造する際の品質管理を合理的に行えるものである。
【図面の簡単な説明】
【０００８】
【図１】本考案の付着モルタルリサイクルシステムの概略図
【考案を実施するための形態】
【０００９】  附属書Ｄでは、普通コンクリート及びこれを流動化したコンクリートの荷卸しを完了し、全量を排出した後のアジテータのドラム内壁、羽根などに付着しているフレッシュモルタルに付着モルタル安定剤を用いてスラリー状にし、新たに積み込むコンクリートと混合して使用することが認められている。附属書Ｄでは、スラリー状モルタルをアジテータのドラム内に保存する場合とアジテータのドラムから取り出して専用の容器で保存する場合の２通りが規定されており、本考案ではアジテータのドラムから取り出して専用の容器で保存する場合とした。
【００１０】  スラリー状モルタルは、バイブロスクリーンで分級後、付着モルタル回収容器及び希釈溶液回収容器に回収される。
【００１１】  回収された付着モルタル及び希釈溶液はオペレーターが手元操作ボックスで使用量を設定し、新たなコンクリートを製造する直前に付着モルタルはミキサーへ、希釈溶液は既設の水計量槽へ投入する。
【００１２】  附属書Ｄでは、新たに積み込むアジテータ１台分のコンクリートに適用するスラリー状モルタルの量は、これが排出されたアジテータ１台分と同量又はこれを超えない量とし、１回の計量ごとにその量を均等に分けて計量することになっている。又、付着モルタルのスラリー化は、コンクリートの練混ぜから３時間以内に行うこととスラリー状モルタルの保存は２４時間以内と規定されていることから、翌日が休日の場合などを考慮して事前に使用の可否を判断しなければならない。
【００１３】  以下に本考案のシステムを図１に基づいて説明する。
図１はシステムの全体構成を示している。１はトラックアジテータがコンクリートの荷卸しを完了し、全量排出後のドラム内壁、羽根等に付着しているフレッシュモルタルにＪＩＳＡ５３０８附属書Ｄに規定する付着モルタル安定剤を上水道水で所定の割合にした希釈溶液でスラリー化し１３の運搬台に乗り１２のリフトでプラント２階の高さまで上がり、２のバイブロスクリーンに排出する。この時、必ずしも２階の高さまでの移動にリフトを使用しなくても良く、用地がある場合はスロープでの移動も可能である。
【００１４】  ２のバイブロスクリーン上を下流側に移動した付着モルタルは、４のシュートから５の付着モルタル回収容器に回収される。
【００１５】  ５の付着モルタル回収容器に回収された付着モルタルは、オペレーターの操作により１バッチ当たりの投入量が設定され、１４の計量用スクリューによって６の付着モルタル導入管に落とし込まれ、１１のミキサーに投入される。
【００１６】  一方、３の希釈溶液回収容器に回収された希釈溶液は、オペレーターの操作により１バッチ当たりの投入量が設定され、８の水中ポンプによって９の希釈溶液投入管から７の水計量槽に落とし込まれ、新たなコンクリートを製造する際の計量水の内割りとして計量され、１０の計量水投入管を経て１１のミキサーに投入される。
【産業上の利用可能性】
【００１７】  本考案は、ＪＩＳＡ５３０８附属書Ｄに従い、合理的且つ適正に品質管理された方法で、適用した希釈溶液と同量を計量水量の一部に置き換えることができるシステムである。本システムは、生コンクリート製造工場に設置し、荷卸しを終えたトラックアジテータのドラム内に付着したモルタルを廃棄せずに新たに積み込むコンクリートと混合して使用することができるので、未だに廃棄され続けるスラッジを大幅に減量化することができる。
【符号の説明】
【００１８】  １  トラックアジテータ
２  バイブロスクリーン
３  希釈溶液回収容器
４  シュート
５  付着モルタル回収容器
６  付着モルタル導入管
７  水計量槽
８  水中ポンプ
９  希釈溶液投入管
１０  計量水投入管
１１  ミキサー
１２  リフト
１３  運搬台
１４  計量用スクリュー
【図１】
0003206489.tif 000003
【手続補正書】
【提出日】平成28年7月4日(2016.7.4)
【手続補正１】
【補正対象書類名】実用新案登録請求の範囲
【補正対象項目名】全文
【補正方法】変更
【補正の内容】
【実用新案登録請求の範囲】
【請求項１】
トラックアジテータのドラム内壁、羽根等に付着しているフレッシュモルタルに付着モルタル安定剤を用いてスラリー状にし、新たに積み込むコンクリートと混合して使用するための付着モルタルリサイクルシステムであって、帰着したトラックアジテータはプラント横に併設されたリフトで２階高さまでリフトアップ、又は２階高さまでのスロープを上がりきった場所にトラックアジテータの排出シュートの高さに合わせてバイブロスクリーンを設け、底部に計量用の水中ポンプ又はサンドポンプを設けた希釈溶液回収容器と、前記バイブロスクリーンの下流側に設けた計量用スクリュー付の付着モルタル回収容器をつなぐシュートを設置し、前記希釈溶液回収容器底部の前記水中ポンプ又はサンドポンプを３階にある既設の水計量槽につながる希釈溶液投入管と接続し、前記水計量槽を、ミキサーにつながる計量水投入管と接続し、前記付着モルタル回収容器の下流側に、ミキサーにつなげる導入管を接続してなる付着モルタルリサイクルシステム。
【手続補正２】
【補正対象書類名】明細書
【補正対象項目名】０００６
【補正方法】変更
【補正の内容】
【０００６】  トラックアジテータのドラム内壁、羽根等に付着しているフレッシュモルタルに付着モルタル安定剤を用いてスラリー状にし、新たに積み込むコンクリートと混合して使用するための付着モルタルリサイクルシステムであって、帰着したトラックアジテータはプラント横に併設されたリフトで２階高さまでリフトアップ、又は２階高さまでのスロープを上がりきった場所にトラックアジテータの排出シュートの高さに合わせてバイブロスクリーンを設け、底部に計量用の水中ポンプ又はサンドポンプを設けた希釈溶液回収容器と、前記バイブロスクリーンの下流側に設けた計量用スクリュー付の付着モルタル回収容器をつなぐシュートを設置し、前記希釈溶液回収容器底部の前記水中ポンプ又はサンドポンプを３階にある既設の水計量槽につながる希釈溶液投入管と接続し、前記水計量槽を、ミキサーにつながる計量水投入管と接続し、前記付着モルタル回収容器の下流側に、ミキサーにつなげる導入管を接続してなる付着モルタルリサイクルシステム。